(57)【要約】【課題】呼出信号の先頭がマイナス極側に変位している場合でも遅れることなく呼出信号を検出し、無鳴動機能を有効にしているにも係わらず電話機が鳴動してしまうのを防止した通信装置を提供する。【解決手段】半波フォトカプラ１０８は、電話回線１２０のLINE電圧がマイナス極側に変位したことを検出すると、呼出信号が検出されたことを示すＣＩ２信号を電源制御ＣＰＵ１１０に出力する。すると、無鳴動機能が有効に設定されている場合、電源制御ＣＰＵ１１０が、ＣＩ２信号をトリガとしてSリレー１０６へＳＯＮ２信号を出力する。そして、ＳＯＮ２信号を受けたSリレー１０６は、オフ状態（接続線が接触した状態）からオン状態（接続線が離れた状態）に変わる。これにより、外接電話４３０は電話回線１２０から切り離されるので、無鳴動が実現する。【選択図】  図２
2009188710.tif 000002
【特許請求の範囲】
【請求項１】
電話回線に接続される第１のコネクタと、前記電話回線から前記第１のコネクタを介して送信されてきた画像信号を処理する処理部と、受話器から入出力される音声信号を前記電話回線を介して送受信する電話機が接続される第２のコネクタと、を備えた通信装置において、
前記第１のコネクタと前記第２のコネクタとを結ぶ電路で伝送される前記音声信号を中継するとともに、その電路の開閉を行う中継部と、
前記画像信号の伝送開始を知らせる呼出信号であって前記電話回線から前記第１のコネクタを介して送信されてくる呼出信号がプラス極側に変位したことを検出する第１の検出部と、
前記呼出信号がマイナス極側に変位したことを検出する第２の検出部と、
前記第１、第２の検出部で検出される呼出信号の変位のうち、最初に検出された呼出信号の変位をトリガとして、前記電路を開くよう前記中継部に指示し、前記電話機を前記電話回線から一定時間だけ切り離す電源制御部と、を備えることを特徴とする通信装置。
【請求項２】
前記第１、第２の検出部のそれぞれは、前記呼出信号の変位が検出されると、この変位が検出されたことを示す呼出検出信号を前記電源制御部に出力するフォトカプラで構成されることを特徴とする請求項１に記載の通信装置。
【請求項３】
前記電源制御部は、前記第１、第２の検出部の内のいずれか一方から前記呼出検出信号が入力される毎にリトリガして、前記電路を開くよう指示する指示信号を、前記一定時間が経過するまで前記中継部に出力し、
前記中継部は、前記指示信号が前記電源制御部から入力されなくなった時、前記電路を閉じることを特徴とする請求項２に記載の通信装置。
【請求項４】
前記電源制御部は、
前記第１、第２の検出部の内のいずれか一方から前記呼出検出信号が入力されると、前記呼出検出信号の入力が所定時間続くかどうか確認し、
前記呼出検出信号の入力が前記所定時間続いたことを確認してから、前記電路を開くよう前記中継部に指示して、前記電話機を前記電話回線から前記一定時間だけ切り離し、
前記呼出検出信号の入力が前記所定時間続かなかった時、前記電路を開くよう前記中継部に指示するのを禁止することを特徴とする請求項２又は３に記載の通信装置。
【請求項５】
前記電源制御部は、主電源オンを待ち受ける省電力状態でも、前記第１、第２の検出部からの前記呼出検出信号の入力を待ち受ける請求項２から４のいずれかに記載の通信装置。
【請求項６】
前記処理部は、前記画像信号に基づく画像を紙媒体に形成することを特徴とする請求項１から５のいずれかに記載の通信装置。
【発明の詳細な説明】
【技術分野】
【０００１】
本発明は、画像信号の受信と電話通話により送受信される音声信号の中継とを行う通信装置に関し、特に省電力モードと無鳴動機能を有する通信装置に関するものである。
【背景技術】
【０００２】
従来より、ＦＡＸの受信と電話通話により送受信される音声信号の中継とを行う通信装置が一般に広く普及している。近年では、主電源オンを待ち受ける省電力モードと外接電話の着信音が鳴るのを防ぐ無鳴動機能とを有する通信装置が一般的である。以下、このような通信装置を代表してファクシミリ装置について説明する。
【０００３】
図４は、従来のファクシミリ装置の主要部の構成を示すブロック図である。従来のファクシミリ装置４００は、LINEコネクタ４０１と、シリコンＤＡＡ４０２と、モデム４０３と、メインＣＰＵ４０４と、TELコネクタ４０５と、Sリレー４０６と、半波フォトカプラ４０７と、ＡＳＩＣ４０８と、電源制御ＣＰＵ４０９と、サブ電源部４１０と、主電源部４１１と、を備える。
TELコネクタ４０５には、外接電話４３０が接続されている。外接電話４３０で入力される音声信号は、ファクシミリ装置４００を介して相手方の電話機に送信される。これにより、ユーザは、相手方と外接電話４３０から通話できる。
また、シリコンＤＡＡ４０２は、LINEコネクタ４０１から入力されてくる信号に基づいて、ＦＡＸ受信の開始を示す呼出信号の有無を判断する。そして、呼出信号があった場合、シリコンＤＡＡ４０２は、LINEコネクタ４０１を介して、相手方のファクシミリ装置から電話回線４２０を介して伝送されてくる信号（例えば画像データ）を受信する。
【０００４】
図５の上段（Ａ）〜（Ｃ）は、呼出信号の先頭がプラス極側に変位している場合の信号波形であり、図５の下段（Ａ）〜（Ｃ）は、呼出信号の先頭がマイナス極側に変位している場合の信号波形である。そして、図５の（Ａ）は、半波フォトカプラ４０７に入力される信号の波形を示している。図５の（Ｂ）は、半波フォトカプラ４０７から電源制御ＣＰＵ４０９に出力されるＣＩ信号の波形を示している。図５の（Ｃ）は、電源制御ＣＰＵ４０９からＳリレー４０６に出力されるＳＯＮ２信号の波形を示している。
【０００５】
半波フォトカプラ４０７は、発光ダイオードとフォトダイオードとトランジスタとで構成されている。半波フォトカプラ４０７は、電話回線４２０のLINE電圧がプラス極側に変位したことを検出する。半波フォトカプラ４０７は、電話回線４２０のLINE電圧がプラス極側に変位したことを検出すると、呼出信号が検出されたことを示すＣＩ信号を電源制御ＣＰＵ４０９に出力する（図５の上段（Ａ）（Ｂ）参照）。すると、無鳴動機能が有効に設定されている場合、電源制御ＣＰＵ４０９が、このＣＩ信号をトリガとしてSリレー４０６へＳＯＮ２信号を出力する（図５の上段（Ｃ）参照）。そして、ＳＯＮ２信号を受けたSリレー４０６は、オフ状態（図４に示すように接続線が接触した状態）からオン状態（図４に示すように接続線が離れた状態）に変わる。これにより、外接電話４３０は電話回線４２０から切り離されるので、無鳴動が実現する。
なお、特許文献１には、省電力モードで無鳴動受信の設定時にＦＡＸの呼出信号を受けると、主電源をオンし、呼出信号による鳴動を行なわずに、ＦＡＸの受信動作へ移行する通信装置が示されている。
【特許文献１】特開平９−３６９９７号公報
【発明の開示】
【発明が解決しようとする課題】
【０００６】
しかしながら、図５の下段（Ａ）に示すように呼出信号の先頭がマイナス極側に変位していた場合、半波フォトカプラ４０７は、呼出信号の先頭を検出できず、呼出信号がプラス極側に変位した時に検出する。即ち、呼出信号の検出が半周期分だけ遅れてしまう。そして、半波フォトカプラ４０７は、半周期分だけ遅れてＣＩ信号を電源制御ＣＰＵ４０９に出力する。そのため、電源制御ＣＰＵ４０９がこのＣＩ信号をトリガとしてSリレー４０６へＳＯＮ２信号を出力した時には（図５の下段（Ｃ）参照）、既に呼出信号の先頭が外接電話４３０に伝送された後であり、外接電話４３０は鳴動してしまう。
以上のように、ファクシミリ装置４００を含む従来の通信装置では、半波フォトカプラの検出が半波分遅れた影響で、無鳴動機能を有効にしているにも係わらず外接の電話機が鳴動してしまうという問題があった。
【０００７】
本発明は、呼出信号の先頭がマイナス極側に変位している場合でも遅れることなく呼出信号を検出し、無鳴動機能を有効にしているにも係わらず電話機が鳴動してしまうのを防止した通信装置を提供することを目的とする。
【課題を解決するための手段】
【０００８】
本発明の通信装置は、前記課題を解決するために以下の構成を備えている。
【０００９】
(１)電話回線に接続される第１のコネクタと、前記電話回線から前記第１のコネクタを介して送信されてきた画像信号を処理する処理部と、受話器から入出力される音声信号を前記電話回線を介して送受信する電話機が接続される第２のコネクタと、を備えた通信装置において、
前記第１のコネクタと前記第２のコネクタとを結ぶ電路で伝送される前記音声信号を中継するとともに、その電路の開閉を行う中継部と、
前記画像信号の伝送開始を知らせる呼出信号であって前記電話回線から前記第１のコネクタを介して送信されてくる呼出信号がプラス極側に変位したことを検出する第１の検出部と、
前記呼出信号がマイナス極側に変位したことを検出する第２の検出部と、
前記第１、第２の検出部で検出される呼出信号の変位のうち、最初に検出された呼出信号の変位をトリガとして、前記電路を開くよう前記中継部に指示し、前記電話機を前記電話回線から一定時間だけ切り離す電源制御部と、を備えることを特徴とする。
【００１０】
この構成において、通信装置は、例えばファクシミリ装置である。電話機は、音声信号が入出力される受話器を有する。また、呼出信号とは、データ通信において送受信の同期をとるための信号である。また、通信装置は、電話機が接続されている第２のコネクタを電話回線から切り離すことにより電話機の無鳴動を達成している。
この構成では、呼出信号の先頭がプラス極側に変位している場合、その先頭は第１の検出部で検出される。逆に、呼出信号の先頭がマイナス極側に変位している場合、その先頭は第２の検出部で検出される。そのため、呼出信号の先頭がマイナス極側に変位している場合でも遅れることなく呼出信号を検出できる。従って、無鳴動機能を有効にしているにも係わらず電話機が鳴動してしまうのを防止できる。
【００１１】
(２)前記第１、第２の検出部のそれぞれは、前記呼出信号の変位が検出されると、この変位が検出されたことを示す呼出検出信号を前記電源制御部に出力するフォトカプラで構成されることを特徴とする。
【００１２】
この構成では、第１、第２の検出部のそれぞれを構成する素子が、フォトカプラであることを示している。フォトカプラは、例えば発光ダイオード、フォトダイオード、トランジスタからなる。そのため、フォトカプラは、順方向バイアスの呼出信号を検出できるが、逆方向バイアスの呼出信号を検出できない。よって、フォトカプラが１個のみであると、先頭がプラス極側に変位している呼出信号と先頭がマイナス極側に変位している呼出信号との内のいずれか一方の呼出信号しか先頭が検出できない。
【００１３】
(３)前記電源制御部は、前記第１、第２の検出部の内のいずれか一方から前記呼出検出信号が入力される毎にリトリガして、前記電路を開くよう指示する指示信号を、前記一定時間が経過するまで前記中継部に出力し、
前記中継部は、前記指示信号が前記電源制御部から入力されなくなった時、前記電路を閉じることを特徴とする。
【００１４】
この構成において、一定時間は、呼出信号の周期より長い時間に予め設定する。そのため、最後の呼出検出信号が電源制御部に入力された時から一定時間が経過した時には、電源制御部からの指示が無くなって中継部の電路が閉じるが、呼出信号も既に終了している。そのため、呼出信号が電話機に入力されることがない。従って、電話機が鳴動してしまうのを防止できる。
【００１５】
(４)前記電源制御部は、
前記第１、第２の検出部の内のいずれか一方から前記呼出検出信号が入力されると、前記呼出検出信号の入力が所定時間続くかどうか確認し、
前記呼出検出信号の入力が前記所定時間続いたことを確認してから、前記電路を開くよう前記中継部に指示して、前記電話機を前記電話回線から前記一定時間だけ切り離し、
前記呼出検出信号の入力が前記所定時間続かなかった時、前記電路を開くよう前記中継部に指示するのを禁止することを特徴とする。
【００１６】
電話回線から第１のコネクタを介して第１、第２の検出部に入力される信号は、呼出信号でなくノイズである可能性もある。
そこで、この構成においては、電源制御部は、呼出検出信号が第１、第２の検出部の内のいずれか一方から入力された時、呼出検出信号の入力が所定時間続くかどうか確認している。所定時間は、呼出信号の半周期より短い時間に予め設定される。所定時間は、例えば３ｍｓである。
以上により、ノイズを呼出信号と勘違いして、中継部を切替えてしまうのを防ぐことができる。
【００１７】
(５)前記電源制御部は、主電源オンを待ち受ける省電力状態でも、前記第１、第２の検出部からの前記呼出検出信号の入力を待ち受けることを特徴とする。
【００１８】
この構成では、省電力状態でも、呼出信号の先頭がマイナス極側に変位している場合に遅れることなく呼出信号を検出できる。従って、無鳴動機能を有効にしている場合の省電力状態においても、電話機が鳴動してしまうのを防止できる。
【００１９】
(６)前記処理部は、前記画像信号に基づく画像を紙媒体に形成することを特徴とする。
【発明の効果】
【００２０】
本発明によれば、無鳴動機能を有効にしているにも係わらず電話機が鳴動してしまうのを防止できるという効果がある。
【発明を実施するための最良の形態】
【００２１】
以下、本発明の実施形態であるファクシミリ装置について説明する。
【００２２】
図１は、本発明の実施形態であるファクシミリ装置の主要部の構成を示すブロック図である。ファクシミリ装置１００は、LINEコネクタ１０１と、シリコンＤＡＡ１０２と、モデム１０３と、メインＣＰＵ１０４と、TELコネクタ１０５と、Sリレー１０６と、半波フォトカプラ１０７、１０８と、ＡＳＩＣ１０９と、電源制御ＣＰＵ１１０と、サブ電源部１１１と、メイン電源部１１２と、印字部１１３と、スキャナ１１４と、を備える。
ファクシミリ装置１００は、ＦＡＸの送受信や電話通話により送受信される音声信号の中継を行う。また、ファクシミリ装置１００は、主電源オンを待ち受ける省電力モードと外接電話の着信音が鳴るのを防ぐ無鳴動機能とを有する。
【００２３】
ここで、LINEコネクタ１０１が、本発明の「第１のコネクタ」に相当する。また、TELコネクタ１０５が、本発明の「第２のコネクタ」に相当する。また、Sリレー１０６が、本発明の「中継部」に相当する。また、＋極半波フォトカプラ１０７が、本発明の「第１の検出部」に相当する。また、−極半波フォトカプラ１０８が、本発明の「第２の検出部」に相当する。また、電源制御ＣＰＵ１１０が、本発明の「電源制御部」に相当する。また、印字部１１３が、本発明の「処理部」に相当する。
【００２４】
メイン電源部１１２は、ファクシミリ装置１００が電源オン状態である場合、商用電源から駆動電源を取り込んでファクシミリ装置１００の各部に電源供給する。一方、メイン電源部１１２は、ファクシミリ装置１００が省電力モード（所謂スタンバイ）になった場合、ファクシミリ装置１００の各部に対する電源供給を停止する。その代わりとして、サブ電源部１１１が商用電源から駆動電源を取り込んでSリレー１０６および電源制御ＣＰＵ１１０に電源供給する。ここで、外接電話１３０は、商用電源を取り込むＡＣアダプタ（不図示）、電話回線１２０、又はＴＥＬコネクタ１０５のいずれかから回線電圧が供給される。
【００２５】
まず、ＦＡＸの送受信に関する構成から説明する。
LINEコネクタ１０１には、電話回線１２０が接続されている。
シリコンＤＡＡ１０２は、LINEコネクタ１０１から入力されてくる信号に基づいて、ＦＡＸ受信の開始を示す呼出信号の有無を判断する。呼出信号とは、データ通信において送受信の同期をとるための信号である。そして、呼出信号があった場合、シリコンＤＡＡ１０２は、LINEコネクタ１０１を介して、相手方のファクシミリ装置から電話回線１２０を介して伝送されてくる信号（例えば画像データ）を受信する。この画像データは、モデム１０３に出力されてモデム１０３で復調され、メインＣＰＵ１０４に入力する。メインＣＰＵ１０４は、この画像データを（例えばランレングス符号で）復号し、復号したデータに基づいて印字部１１３で紙媒体に印字する。
【００２６】
一方、ＦＡＸ送信時では、メインＣＰＵ１０４が、内蔵するメモリ（不図示）内の画像データを、モデム１０３に出力する。この画像データは、スキャナ１１４で予め読取られて該メモリに格納された画像データである。モデム１０３は、この画像データを変調し、シリコンＤＡＡ１０２に出力する。そして、シリコンＤＡＡ１０２は、LINEコネクタ１０１を介して、電話回線１２０を介して画像データを相手方のファクシミリ装置に送信する。
【００２７】
次に、電話通話により送受信される音声信号の中継機能に関する構成について説明する。
TELコネクタ１０５は、受話器が設けられた外接電話１３０と接続されている。外接電話１３０の受話器から入力される音声信号は、ファクシミリ装置１００を介して相手方の電話機に送信される。これにより、ユーザは、相手方と外接電話１３０で通話できる。
また、TELコネクタ１０５は、上述の無鳴動機能を達成するためのＳリレー１０６と電路で結ばれている。Sリレー１０６は、ＬＩＮＥコネクタ１０１と、TELコネクタ１０５と、を結ぶ電路で伝送される音声信号を中継する。
【００２８】
Sリレー１０６は、通常、オフ状態（接続線が接触した状態）である。Sリレー１０６は、ＳＯＮ信号を受けて、オン状態（図示のように接続線が離れた状態）となる。
なお、ＡＳＩＣ１０９は、無鳴動機能が有効に設定されている場合、ＣＩ信号をもとにSリレー１０６へＳＯＮ１信号を出力する。
【００２９】
図２の上段（Ａ）〜（Ｄ）は、呼出信号の先頭がプラス極側に変位している場合の信号波形であり、図２の下段（Ａ）〜（Ｄ）は、呼出信号の先頭がマイナス極側に変位している場合の信号波形である。そして、図２の（Ａ）は、半波フォトカプラ１０７、１０８に入力される信号の波形を示している。図２の（Ｂ１）は、半波フォトカプラ１０７から電源制御ＣＰＵ１１０に出力されるＣＩ信号の波形を示している。図２の（Ｂ２）は、半波フォトカプラ１０８から電源制御ＣＰＵ１１０に出力されるＣＩ信号の波形を示している。図２の（Ｃ）は、電源制御ＣＰＵ１１０からＳリレー１０６に出力されるＳＯＮ２信号の波形を示している。図２の（Ｄ）は、電源制御ＣＰＵ１１０からメイン電源部１１２に出力される復帰要求信号の波形を示している。
【００３０】
半波フォトカプラ１０７は、発光ダイオードとフォトダイオードとトランジスタとで構成されている。そのため、半波フォトカプラ１０７は、順方向バイアスの呼出信号を検出できるが、逆方向バイアスの呼出信号を検出できない。
半波フォトカプラ１０７は、電話回線１２０のLINE電圧がプラス極側に変位したことを検出する。半波フォトカプラ１０７は、電話回線１２０のLINE電圧がプラス極側に変位したことを検出すると、呼出信号が検出されたことを示すＣＩ信号を電源制御ＣＰＵ１１０に出力する（図２の上段（Ａ）（Ｂ１）参照）。すると、無鳴動機能が有効に設定されている場合、電源制御ＣＰＵ１１０が、このＣＩ信号をトリガとしてSリレー１０６へＳＯＮ２信号を出力する（図２の上段（Ｃ）参照）。そして、ＳＯＮ２信号を受けたSリレー１０６は、オフ状態（接続線が接触した状態）からオン状態（図１のように接続線が離れた状態）に変わる。これにより、外接電話４３０は電話回線１２０から切り離されるので、無鳴動が実現する。
なお、電源制御ＣＰＵ１１０は、電話回線１２０からの呼出信号でメイン電源部１１２を復帰させ（図２の（Ｄ）参照）、省電力状態からＦＡＸ受信を開始する電源オン状態へ移行する。
【００３１】
しかしながら、図２の下段（Ａ）に示すように呼出信号の先頭がマイナス極側に変位していた場合、半波フォトカプラ１０７は、呼出信号の先頭を検出できず、呼出信号がプラス極側に変位した時に検出する。即ち、呼出信号の検出が半周期分だけ遅れてしまう。そして、半波フォトカプラ１０７は、半周期分だけ遅れてＣＩ信号を電源制御ＣＰＵ１１０に出力する。そのため、電源制御ＣＰＵ１１０がこのＣＩ信号をトリガとしてSリレー１０６へＳＯＮ２信号を出力する時には、既に呼出信号の先頭が外接電話１３０に伝送された後であり、外接電話１３０は鳴動してしまう。
【００３２】
そこで、本実施形態では、呼出信号がマイナス極側に変位したことを検出する半波フォトカプラ１０８を設けている。具体的には以下のように構成している。
【００３３】
半波フォトカプラ１０８は、発光ダイオードとフォトダイオードとトランジスタとで構成されている。半波フォトカプラ１０８は、電話回線１２０のLINE電圧がマイナス極側に変位したことを検出すると、呼出信号が検出されたことを示すＣＩ２信号を電源制御ＣＰＵ１１０に出力する（図２の下段（Ａ）（Ｂ２）参照）。すると、無鳴動機能が有効に設定されている場合、電源制御ＣＰＵ１１０が、ＣＩ２信号をトリガとしてSリレー１０６へＳＯＮ２信号を出力する（図２の上段（Ｃ）参照）。そして、ＳＯＮ２信号を受けたSリレー１０６は、オフ状態（図１に示すように接続線が接触した状態）からオン状態（図１に示すように接続線が離れた状態）に変わる。これにより、外接電話４３０は電話回線１２０から切り離されるので、無鳴動が実現する。
【００３４】
以上より、呼出信号の先頭がマイナス極側に変位している場合でも遅れることなく呼出信号を検出しているので、無鳴動機能を有効にしているにも係わらず外接電話が鳴動してしまうのを防止できる。
また、省電力状態でもSリレー１０６および電源制御ＣＰＵ１１０に電源が供給されているので、省電力状態でも、呼出信号の先頭がマイナス極側に変位している場合に遅れることなく呼出信号を検出できる。従って、無鳴動機能を有効にしている場合の省電力状態においても、外接電話１３０が鳴動してしまうのを防止できる。
【００３５】
なお、電源制御ＣＰＵ１１０は、ＣＩ信号およびＣＩ２信号の内、最初に入力された方の信号を優先して処理し、後に入力される方の信号を無視して信号の割り込みをマスクする。そして、例えば最初に入力された方の信号がＣＩ２信号である場合、電源制御ＣＰＵ１１０は、ＣＩ２信号が−極半波フォトカプラ１０８から入力される毎にリトリガして、ＣＩ２信号が入力された時から一定時間（例えば１４０ｍｓ）が経過するまで、ＳＯＮ２信号をSリレー１０６に出力し続ける（図２の（Ｂ２）参照）。一定時間は、電源制御ＣＰＵ１１０の内部にタイマー回路（不図示）を設け、このタイマー回路で時間を計測する。また、一定時間は、呼出信号の周期より長い時間に予め設定する。そのため、最後のＣＩ２信号が電源制御ＣＰＵ１１０に入力された時から一定時間が経過した時には、ＳＯＮ２信号の出力が終了してSリレー１０６が元に戻るが、呼出信号も既に終了している。そのため、呼出信号が外接電話１３０に入力されることがない。従って、外接電話１３０が鳴動してしまうのを防止できる。
【００３６】
また、本発明の実施形態は、以下の変形例を採用することができる。
【００３７】
図３は、電源制御ＣＰＵ１１０で行われる呼出信号の確認動作の一例を示す図である。図３の（Ａ）は、半波フォトカプラ１０７又は半波フォトカプラ１０８から電源制御ＣＰＵ１１０に出力されるＣＩ信号の波形を示している。図３の（Ｂ）は、電源制御部ＣＰＵ１１０の内部で扱われる信号の波形を示している。図３の（Ｃ）は、電源制御ＣＰＵ１１０からＳリレー１０６に出力されるＳＯＮ２信号の波形を示している。
【００３８】
電話回線１２０からＬＩＮＥコネクタ１０１を介して半波フォトカプラ１０７、１０８に入力される信号が、呼出信号でなくノイズである可能性もある。
そこで、電源制御部ＣＰＵ１１０は、ＣＩ信号（又はＣＩ２信号）が半波フォトカプラ１０７、１０８の内のいずれかから入力された時、ＣＩ信号（又はＣＩ２信号）の入力が所定時間続くかどうか確認する。所定時間は、呼出信号の半周期より短い時間に予め設定される。所定時間は、例えば３ｍｓである。図３の（Ａ）では、電源制御部ＣＰＵ１１０は、ＣＩ信号を１ｍｓ間隔で３回センスして、確認している。
そして、電源制御部ＣＰＵ１１０は、ＣＩ信号の入力が所定時間続いたことを確認してから、呼出信号が適正であることを示すＣＩ確定フラグを立て、ＴＥＬコネクタ１０５を電話回線１２０から切り離すようＳリレー１０６に指示する（図３の（Ｂ）（Ｃ）参照）。そして、電源制御部ＣＰＵ１１０は、ＣＩ信号の入力が所定時間続かなかった時、ＳＯＮ２信号をＳリレー１０６に出力するのを禁止する。
以上により、ノイズを呼出信号と勘違いして、Ｓリレー１０６をオン状態（接続線が離れた状態）に切替えてしまうのを防ぐことができる。
【図面の簡単な説明】
【００３９】
【図１】本発明の実施形態であるファクシミリ装置の主要部の構成を示すブロック図
【図２】ファクシミリ装置１００の各部に入出力される信号の波形を示す図
【図３】電源制御ＣＰＵ１１０で行われる呼出信号の確認動作の一例を示す図
【図４】従来のファクシミリ装置の主要部の構成を示すブロック図
【図５】ファクシミリ装置４００の各部に入出力される信号の波形を示す図
【符号の説明】
【００４０】
１００−ファクシミリ装置
１０１−ＬＩＮＥコネクタ
１０２−シリコンＤＡＡ
１０３−モデム
１０４−メインＣＰＵ
１０５−ＴＥＬコネクタ
１０７、１０８−半波フォトカプラ
１０９−ＡＳＩＣ
１１０−電源制御ＣＰＵ
１１１−サブ電源部
１１２−メイン電源部
１１３−印字部
１１４−スキャナ
１２０−電話回線
１３０−外接電話
４００−ファクシミリ装置
４０２−シリコンＤＡＡ
４０３−モデム
４０４−メインＣＰＵ
４０５−TELコネクタ
４０６−Sリレー
４０７−半波フォトカプラ
４０８−ＡＳＩＣ
４０９−電源制御ＣＰＵ
４１０−サブ電源部
４１１−主電源部
４２０−電話回線
４３０−外接電話
【図１】
2009188710.tif 000003
【図２】
2009188710.tif 000004
【図３】
2009188710.tif 000005
【図４】
2009188710.tif 000006
【図５】
2009188710.tif 000007